(57)【特許請求の範囲】
【請求項１】
上ケース部と、下ケース部と、これら上、下ケース部に回動自在に挟持された中空の接続部とからなり、該下ケース部の下面前部で、長手方向に溝状の吸込部を形成するとともに、該吸込部の前記上ケース部側奥に設けた吸込口部から前記接続部につながって吸込風路を形成してなる吸込具において、前記吸込部を、前記吸込口部の下部位置で、後方に向って底面に凹部を形成して拡張し、この凹部に、円筒形状を成す回転体を回転自在に軸支し、該円筒の外周部が、前記凹部から吸込具の下面および吸込風路の溝部側にはみ出してなる電気掃除機用吸込具。
【請求項２】
請求項１に加え、前記回転体を上下動可能に軸支する可動軸支部材を備えた電気掃除機用吸込具。
【請求項３】
前記凹部、および、回転体の吸込部長手方向の幅は、前記吸込口部の対応する幅よりも広く形成してなる請求項１、または２項記載の電気掃除機用吸込具。
【請求項４】
前記回転体は、外周面に複数の凹凸部を有してなる請求項１、２または３項記載の電気掃除機用吸込具。
【発明の詳細な説明】
【０００１】
【産業上の利用分野】
この発明は電気掃除機用吸込具の操作性に係るもので、特に被掃除物に対する吸込具の吸着防止に関するものである。
【０００２】
【従来の技術】
図７および８は、例えば特開平５−２５３１１９号公報に示された従来の床ブラシを示す断面図と斜視図である。図に基づいて床ブラシの構成を説明する。１は下ケース、２は上ケースであり、バンパ３を介してネジ止めされている。４は継ぎ手であり上下ケースの間に回転自在に挟持されている。６は床ブラシ下面前部で長手方向に凹状の溝として形成された吸込溝であり、５は吸込溝６の略中央の奥壁に開口した吸込口で、その先は上下ケースで形成された風路を通って継ぎ手４へ連通している。また、下ケースには回転自在に形成された前車輪７と後車輪８がそれぞれ一対設けられている。
【０００３】
さらに、補助ローラ１０が吸込溝６の後部側の仕切り壁９を隔てて下ケース１に設けられており、仕切り壁９は補助ローラ１０の中心軸よりも下側まで伸び、吸込溝６と補助ローラ１０とを仕切っている。また、補助ローラ１０は前後車輪と略同じ高さに設定されていて、前後車輪とともに床面に接している。また、補助ローラ１０は前後車輪で囲まれた面積の外側にも飛び出て構成されている。
【０００４】
次に動作について説明する。図７において床面に散らばったゴミは床面と吸込溝６との間に生じる吸い込み気流に乗って吸込口５、継ぎ手４を通り、さらに図示されていない継ぎ手４に接続されたパイプ・ホースを経由して集塵室に吸込まれる。下ケース１に設けられた前後の車輪７，８はフローリングＦ上ではブラシ全体を支えており回転によって床ブラシの操作力を軽くしている。ジュウタン掃除のときは前後車輪７，８がジュウタンの中へ沈み込んでしまい床ブラシ底面全体がジュウタンと接することにより前後方向の移動に当たって摩擦が大きくなるが、幅広の補助ローラ１０が車輪の代わりとなって回転しジュウタン上の移動を円滑にし、操作性を良くしている。
【０００５】
【発明が解決しようとする課題】
従来の床ブラシは以上のように構成されているので、フローリングや、ジュウタン上での操作性は良いが、ジュウタンカバーや玄関マットを掃除する際は、図９に示すように吸込溝６、吸込口５にジュウタンカバーが吸着され、仕切り壁９に引っかかり、操作力が非常に大きくなる。また、玄関マットにいたっては床ブラシと一緒に動いてしまうなどの問題があった。さらに、そのような状態で無理やり床ブラシを動かすと仕切り壁９によってジュウタンの毛を引っかいてしまい毛を傷めるなどの問題があった。
【０００６】
この発明は上記のような問題点を解消するためになされたものでジュウタンカバーや玄関マット等の敷物が吸込具に吸着され、引っかかることがなく、吸込具による敷物の損傷を防止し、吸塵力の強い操作性の優れた電気掃除機用吸込具を提供することを目的とする。
【０００７】
【課題を解決するための手段】
この発明に係る電気掃除機用吸込具は、上ケース部と、下ケース部と、これら上、下ケース部に回動自在に挟持された中空の接続部とからなり、該下ケース部の下面前部で、長手方向に溝状の吸込部を形成するとともに、該吸込部の前記上ケース部側奥に設けた吸込口部から前記接続部につながって吸込風路を形成してなる吸込具において、前記吸込部を、前記吸込口部の下部位置で、後方に向って底面に凹部を形成して拡張し、この凹部に、円筒形状を成す回転体を回転自在に軸支するとともに、該円筒の外周部が、前記凹部から吸込具の下面および吸込風路の溝部側にはみ出してなるものである。
【０００８】
さらに、この発明に係る電気掃除機用吸込具は、前記回転体を上下動可能に軸支する可動軸支部材を備えたものである。
【００１０】
さらに、この発明に係る電気掃除機用吸込具は、前記凹部、および、回転体の吸込部長手方向の幅は、前記吸込口部の対応する幅よりも広く形成したものである。
【００１１】
さらに、この発明に係る電気掃除機用吸込具は、前記回転体は、外周面に複数の凹凸部を有するものである。
【００１２】
【作用】
この発明の電気掃除機用吸込具は、下ケース部の下面前部で、長手方向に溝状に設けた吸込部を、吸込口部の下部位置で、後方に向って底面に凹部を形成して拡張し、この凹部に、円筒形状を成す回転体を回転自在に軸支するとともに、該円筒の外周部が、前記凹部から吸込具の下面および吸込風路の溝部側にはみ出すことにより、吸込具の移動に伴い回転体が敷物と接して回転するとともに、凹部から吸込口部近傍の吸込部へ通じる風路を形成する。
【００１３】
さらに、この発明の電気掃除機用吸込具は、可動軸支部材が、回転体を上下動可能に軸支することにより、回転体は、敷物などの凹凸に追随して接触し回転する。
【００１５】
さらに、この発明に係る電気掃除機用吸込具は、吸込部長手方向に対応する吸込口部の幅よりも幅広に形成した凹部、および、回転体は、吸引力の強い吸込口部に対応する領域よりも広い領域の吸込部で、吸込具の移動に伴い回転体が敷物と接して回転するとともに、凹部から吸込部を通って吸込口部へ流れる風路を形成する。
【００１６】
さらに、この発明に係る電気掃除機用吸込具は、外周面に複数の凹凸部を有する回転体が、凹凸部から吸込部を通って吸込口部へ流れる風量を増加させる。
【００１７】
【実施例】
実施例１．
以下、この発明の一実施例について説明する。図１、２は、本実施例における床ブラシの断面図および底面の斜視図である。
図において、１００は補助ローラであり、吸込溝６の略中凹部を凹状に後退させて形成した吸込溝６の一部となる拡張部１１０に回転自在に軸支されている。その上方奥には、吸込口５が仕切り壁９を介して形成されている。仕切り壁９は補助ローラ１００の中心軸よりも底面に対し上側に位置しており、また、補助ローラの外周は下ケースの底面から飛び出していて、下ケースよりも先にジュウタンに接するようになっている。
また、この飛び出し高さは前後車輪７，８の飛び出し量よりも少なく、前後車輪７，８が床面に接したときでも、補助ローラは、床面から離れているように設定されている。
また、補助ローラ１００の横幅は吸込口５の横幅よりも大きく、前後車輪で囲まれた面積の内側に配置している。
また、補助ローラ１００の外周は、凹状の拡張部１１０から吸込溝６側にも飛び出している。なお、図２は、補助ローラ１００を取り外した状態の斜視図である。
【００１８】
図３は補助ローラ１００を示す図である。図において１１は外周部に設けた複数の溝であり、外周部がジュウタンに接した状態で溝１１に風が流れるように構成されている。なお、１６は回転軸である。
【００１９】
次に動作について説明する。図４はこの発明の一実施例に示す床ブラシでジュウタンカバを掃除している状態を示す図である。
図において１３はジュウタンカバであり、床面Ｆに貼り付いていない。そのため前後車輪の内側は床ブラシの吸引力によって浮き上がり、特に吸込口５の近傍の吸込溝６に吸着しようとするが、凹状の拡張部１１０から矢印で示すように風が流れ込み、吸着が阻止される。このような状態で床ブラシを前に動かすと補助ローラ１００が回転するので、ジュウタンカバ１３を噛み込むことなく、床ブラシはスムーズに動く。
従って、従来の床ブラシのように仕切り壁９がジュウタンカバー１３にクサビ状に食い込むことがなく、毛を引っかけて傷つけることもない。さらに、床面Ｆに貼り付いているジュウタン上でも補助ローラ１００が車輪の役目となり回転するため床ブラシの受け面積が大きくなり操作力を軽減することができる。
【００２０】
さらに、補助ローラ１００の外周に形成した複数の溝１１はジュウタン１３が吸込溝６に密着した状態でもジュウタン１３と補助ローラ１００の間の空間となり、吸い込み空気の風路となるためジュウタンと床ブラシとの密着力を低下させるように作用するので、操作力を軽くすることができる。
また、ジュウタン上にある髪の毛や糸くずなども溝のコーナーに形成された複数の段差部１５に引っかかり取れやすくなる。
【００２１】
さらに、補助ローラ１００は前後車輪７，８よりも床面上から離して設けられているためフローリングなどの傷つきやすい場所でも床面に接触することがないので、床面を傷つけない。
また、吸込口５の近傍の吸込溝６はゴミがもっとも集まる場所であるため補助ローラ１００の横幅を吸込口５の横幅よりも大きく構成することにより補助ローラの回転軸１６へのゴミの付着による回転不良を防止できる。
さらに、実施例のような前後車輪の内側に吸込口のある床ブラシではジュウタンカバの浮き上がりも前後車輪の内側で発生するものであるため、吸込口と補助ローラとは前後車輪の内側に配置するのが最も効果的である。
【００２２】
実施例２．
図５は補助ローラにおける他の実施例を示す図である。補助ローラは溝部１１を除いた外周面に植毛もしくは起毛１９を用いて形成されている。段差部１５に引っかけて糸を取る以外にも起毛部での糸くず取り効果がプラスされる。
【００２３】
実施例３．
図６はこの発明の他の実施例を示す断面図である。図において１２は補助ローラの両端の回転軸１６を下方に押圧するために設けたコイルばねであり、補助ローラ１００を床面に押しつける方向に働いている。また、回転軸１６を案内するとともにその移動を規制するストッパ１４により前後車輪よりも床面から離してセットされている。
補助ローラ１００は床面の凹凸によりコイルばね１２の押圧に抗して上下するが、常に下ケースの底面部より飛び出ているように構成されている。そのため毛足の長さの異なるジュウタン上や凹凸のあるジュウタン上などでも均一にジュウタンに接し床ブラシを支えるため床ブラシの安定がよく、さらに糸くずなどの取り残しのムラを少なくすることができる。
【００２４】
【発明の効果】
本発明は、以上説明したように構成されているので、以下に記載されるような効果を奏する。
【００２５】
本発明によれば、下ケース部の下面前部で、長手方向に溝状に設けた吸込部を、吸込口部の下部位置で、後方に向って底面に凹部を形成して拡張し、この凹部に、円筒形状を成す回転体を回転自在に軸支するとともに、該円筒の外周部が、凹部から吸込具の下面および吸込風路の溝部側にはみ出すことにより、吸込具の移動に伴い回転体が敷物と接して回転するとともに、凹部から吸込口部近傍の吸込部へ通じる風路を形成するので、吸引力の強い、吸込口部近傍の吸込部から吸込口部への敷物などの咬み込みを阻止することができ、吸塵性、操作性に優れ、かつ、敷物などの被掃除物に損傷を与えることのない電気掃除機用吸込具を提供できるという効果を奏する。
【００２６】
さらに、この発明によれば、回転体は、可動軸支部材が、回転体を上下動可能に軸支することにより、回転体は敷物などの凹凸に追随して接触し回転することができるので、上記効果に加え、さらに、操作性の安定した電気掃除機用吸込具を提供できるという効果を奏する。
【００２８】
さらに、この発明によれば、吸込部長手方向に対応する吸込口部の幅よりも幅広に形成した凹部、および、回転体は、吸引力の強い吸込口部に対応する領域よりも広い領域の吸込部で、吸込具の移動に伴い回転体が敷物と接して回転するとともに、凹部から吸込部を通って吸込口部へ流れる風路を形成するので、吸引力の強い、吸込口部近傍の吸込部領域全体から吸込口部への敷物などの咬み込みを阻止することができ、上記効果に加え、さらに、吸塵性、操作性に優れた電気掃除機用吸込具を提供できるという効果を奏する。
【００２９】
さらに、この発明によれば、外周面に複数の凹凸部を有する前記回転体は、凹凸部から吸込部を通って吸込口部へ流れる風量を増加させるので、吸引力の強い、吸込口部近傍の吸込部領域から吸込口部への敷物などの吸着力を弱め、逆に異物を吸い込む吸引風量を増加させることができ、上記効果に加え、さらに、吸塵性、操作性に優れた電気掃除機用吸込具を提供できるという効果を奏する。
【図面の簡単な説明】
【図１】この発明の一実施例による床ブラシを示す断面図である。
【図２】この発明の一実施例による床ブラシの床面形状を示す斜視図である。
【図３】この発明の一実施例による補助ローラを示す斜視図である。
【図４】この発明の実施例による床ブラシを使用した掃除状態を示す説明図である。
【図５】この発明による補助ローラの他の実施例を示す斜視図である。
【図６】この発明の他の実施例による床ブラシを示す断面図である。
【図７】従来の床ブラシを示す断面図である。
【図８】従来の床ブラシの底面形状を示す斜視図である。
【図９】従来の床ブラシによる掃除状態を示す説明図である。
【符号の説明】
１  下ケース、２  上ケース、３  バンパ、４  継ぎ手、５  吸込口、６  吸込溝、７  前車輪、８  後車輪、９  仕切り壁、１０  補助ローラ、１１  溝、１２  コイルばね、１３  ジュウタンカバ、１４  ストッパ、１５  段差部、１６  回転軸、１９  起毛、１１０  拡張部。
【図１】
0003545081.tif 000002
【図２】
0003545081.tif 000003
【図３】
0003545081.tif 000004
【図４】
0003545081.tif 000005
【図５】
0003545081.tif 000006
【図６】
0003545081.tif 000007
【図７】
0003545081.tif 000008
【図８】
0003545081.tif 000009
【図９】
0003545081.tif 000010